(57)【要約】【課題】放送受信装置では、チャネル切り替え時の、出力映像、出力音声に対する映像調整、音声調整に遅延が生じるという問題があった。【解決手段】放送受信部２は、アンテナ１から放送データを受信する。メディア情報抽出部３は、放送受信部２で受信した放送データから番組のメディア情報を抽出する。出力特性調整データ蓄積部７は、番組の少なくともジャンル、あらすじを含む内容に対応する前記番組のメディア情報の出力特性調整データを蓄積する。制御部６は、出力特性調整データ蓄積部７から番組の出力特性調整データを取り出す。出力特性調整部４は、制御部６により取り出された出力特性調整データにより抽出されたメディア情報の出力特性を調整する。ディア情報出力部５は、出力特性が調整されたメディア情報を出力する。【選択図】      図１
2009017240.tif 000002
【特許請求の範囲】
【請求項１】
放送データを受信する放送受信部と、
前記放送受信部で受信した放送データから番組のメディア情報を抽出するメディア情報抽出部と、
前記放送受信部で受信可能な前記番組の少なくともジャンル、あらすじを含む内容に対応する前記番組のメディア情報の出力特性を調整するデータである出力特性調整データを蓄積する出力特性調整データ蓄積部と、
チャネル選択時に、前記出力特性調整データ蓄積部から前記番組に対応する前記出力特性調整データを取り出す制御部と、
前記制御部により取り出された前記出力特性調整データに基づいて前記メディア情報の出力特性を調整する出力特性調整部と、を含む放送受信装置。
【請求項２】
前記出力特性調整データ蓄積部は、前記放送受信部で受信可能な番組に関連する番組情報と、前記番組情報に関連する出力特性調整データとを蓄積し、前記番組情報から前記出力特性調整データにリンクされた状態となっており、
前記制御部は、前記出力特性調整データ蓄積部から前記番組に対応する前記番組情報を読み出し、前記出力特性調整データにリンクして取り出すことを特徴とする請求項１記載の放送受信装置。
【請求項３】
前記メディア情報が、映像情報と音声情報であることを特徴とする請求項１または２に記載の放送受信装置。
【請求項４】
外部から全チャネルの全番組の前記番組情報を受信し前記出力特性調整データ蓄積部に蓄積する番組情報受信部と、
前記番組情報に含まれる少なくとも前記ジャンル、前記あらすじを含む内容から前記出力特性調整データを判定し、判定された前記出力特性調整データを前記出力特性調整データ蓄積部に蓄積する出力特性調整データ判定処理部と、を含むことを特徴とする請求項１乃至３の何れか一項に記載の放送受信装置。
【請求項５】
前記外部がインターネットまたは放送波であることを特徴とする請求項４記載の放送受信装置。
【請求項６】
出力特性調整データ判定処理部は、前記番組情報に含まれる前記ジャンル、キーワードデータ対応に、前記出力特性調整データが規定された判定テーブルを内部に有し、前記判定テーブルを参照することにより、前記出力特性調整データを出力することを特徴とする請求項４記載の放送受信装置。
【請求項７】
前記メディア情報が、音声情報であることを特徴とする請求項１または２に記載の放送受信装置。
【請求項８】
受信可能な番組の少なくともジャンル、あらすじを含む内容に対応する前記番組のメディア情報の出力特性を調整するデータである出力特性調整データを蓄積する出力特性調整データ蓄積部を予め備え、放送データを受信し、前記受信した放送データから前記番組のメディア情報を抽出するとともに、前記出力特性調整データ蓄積部から前記番組に対応する前記出力特性調整データを取り出し、前記取り出された前記出力特性調整データに基づいて前記メディア情報の出力特性を調整し、前記出力特性が調整された前記メディア情報をメディア情報出力部に出力することを特徴とする放送受信装置における出力特性調整方法。
【請求項９】
前記出力特性調整データ蓄積部は、受信可能な番組に関連する番組情報と、前記番組情報に関連する出力特性調整データとを蓄積し、前記番組情報から前記出力特性調整データにリンクされた状態となっており、
前記出力特性調整データ蓄積部から前記番組に対応する前記出力特性調整データを取り出す場合は、前記出力特性調整データ蓄積部から前記番組に対応する前記番組情報を読み出し、前記出力特性調整データにリンクして取り出すことを特徴とする請求項８記載の放送受信装置における出力特性調整方法。
【発明の詳細な説明】
【技術分野】
【０００１】
本発明は放送受信装置及び放送受信装置における出力特性調整方法に関する。
【背景技術】
【０００２】
視聴しているテレビ番組の音響調整および画質調整を自動的に行う放送受信装置が特許文献１に記載されている。
【０００３】
特許文献１の放送受信装置は、ＥＰＧ受信部、時刻取得部、表示番組ＥＰＧ取得部、映像調整部、映像表示部、音質調整部、スピーカ、放送受信部、映像情報抽出部、映像特性選択部、音声情報抽出部、音質特性選択部などから構成され、以下のように動作する。
【０００４】
まず、ＥＰＧ受信部は、テレビ放送電波やインターネットからＥＰＧ（電子番組表）情報を取得し、装置内に蓄積する。表示番組ＥＰＧ取得部は、チャネル切り替え時に、蓄積されたＥＰＧ情報から表示選択された放送局番組のＥＰＧを取得する。
【０００５】
図８にＥＰＧの一例を示す。ＥＰＧは、番組のタイトル、放送局名（チャンネル）、開始時刻、終了時刻、番組のカテゴリ（ジャンル）、あらすじ紹介（番組内容）などから構成されている。
【０００６】
カテゴリ（ジャンル）は、番組の内容が属する大まかな分野を示す項目であり、例えば、スポーツ、洋画、音楽番組などがある。あらすじ紹介は、番組内容を特徴づけるもので、例えば、スポーツであれば、ゴルフや、バレーボール等のスポーツの種類や、主な選手の紹介などが盛り込まれる。
【０００７】
このＥＰＧは、放送局側で作成するものであり、カテゴリなどは、あまり細かくは分類されないのが普通である。
【０００８】
映像特性選択部、音質特性選択部では、表示番組ＥＰＧ取得部で取得されたＥＰＧのカテゴリ情報から映像調整パラメータ、音声調整パラメータを選択する。
【０００９】
一方、放送受信部で受信しチャネル選択されたメディア情報は、映像情報抽出部と音声情報抽出部出で、映像と音声に分離出力される。
【００１０】
そして、映像調整部、音質調整部では、分離出力された映像と音声に、選択された映像調整パラメータ、音声調整パラメータを反映させ、映像表示部、及びスピーカに出力する。
【００１１】
【特許文献１】特開２００４−３２０００公報（「００１０」〜「００１１」を参照）
【発明の開示】
【発明が解決しようとする課題】
【００１２】
上述した放送受信装置は、チャネル切り替え時の、出力映像、出力音声に対する映像調整、音声調整が番組の内容に応じて細かく調整ができないという問題を有していた。
【００１３】
その理由は、映像調整パラメータ、音声調整パラメータは、ＥＰＧのカテゴリからしか選択できないからである。
【００１４】
本発明の目的は、上述した課題である、出力映像、出力音声に対する映像調整、音声調整が番組の内容に応じて細かく調整できないという問題を解決する放送受信装置及び放送受信装置における出力特性調整方法を提供することにある。
【課題を解決するための手段】
【００１５】
本発明の放送受信装置は、放送データを受信する放送受信部と、前記放送受信部で受信した放送データから番組のメディア情報を抽出するメディア情報抽出部と、前記放送受信部で受信可能な前記番組の少なくともジャンル、あらすじを含む内容に対応する前記番組のメディア情報の出力特性を調整するデータである出力特性調整データを蓄積する出力特性調整データ蓄積部と、チャネル選択時に、前記出力特性調整データ蓄積部から前記番組に対応する前記出力特性調整データを取り出す制御部と、前記制御部により取り出された前記出力特性調整データに基づいて前記メディア情報の出力特性を調整する出力特性調整部とを備える。
【００１６】
本発明の放送受信装置における出力特性調整方法は、受信可能な番組の少なくともジャンル、あらすじを含む内容に対応する前記番組のメディア情報の出力特性を調整するデータである出力特性調整データを蓄積する出力特性調整データ蓄積部を予め備え、放送データを受信し、前記受信した放送データから前記番組のメディア情報を抽出するとともに、前記出力特性調整データ蓄積部から前記番組に対応する前記出力特性調整データを取り出し、前記取り出された前記出力特性調整データに基づいて前記メディア情報の出力特性を調整し、前記出力特性が調整された前記メディア情報をメディア情報出力部に出力することを特徴とする。
【発明の効果】
【００１７】
本発明の、放送受信装置及び放送受信装置における出力特性調整方法は、チャネル切り替え時の出力映像、出力音声に対する映像調整、音声調整が番組の内容に応じて細かく調整できるという効果がある。
【発明を実施するための最良の形態】
【００１８】
次に、本発明を実施するための最良の形態について図面を参照して詳細に説明する。
【００１９】
図１は発明の放送受信装置の第一の実施例を示すブロック図である。
【００２０】
図１を参照すると、本実施例の放送受信装置は、アンテナ１、放送受信部２、メディア情報抽出部３、出力特性調整部４、メディア情報出力部５、制御部６、出力特性調整データ蓄積部７を含んで構成される。
【００２１】
本実施例では、テレビ受信装置を想定しており、メディア情報抽出部３は、映像情報抽出部３−１、音声情報抽出部３−２から構成される。同様に、出力特性調整部４は、画質調整部４−１、音響効果調整部４−２から構成される。メディア情報出力部５は、ディスプレイ５−１、スピーカ５−２とを少なくとも含んで構成される。スピーカ５−２は、左右スピーカや、３つ以上のスピーカで構成されていてもよい。
【００２２】
また、制御部６は、チャネル選択部６−１と、出力特性調整データ取得・設定部６−２、番組終了時間監視部６−３とを含む。次に、各部の説明を行う。
【００２３】
放送受信部２は、アンテナ１から制御部６で指定されたテレビ放送局の放送データを受信する。映像情報抽出部３−１は、放送受信部２で受信したテレビ放送データから、映像情報を取り出して出力する。音声情報抽出部３−２は、放送受信部２で受信したテレビ放送データから、音声情報を取り出して出力する。
【００２４】
画質調整部４−１は、映像情報抽出部３−１から出力される映像情報に対し、制御部６で設定された画質調整パラメータを反映させた処理を実行し、調整済み映像情報としてディスプレイ５−１に出力する。音響効果調整部４−２は、音声情報抽出部３−２から出力される音声情報に対し、制御部６で設定された音響効果調整パラメータを反映させた処理を実行し、調整済み音声情報としてスピーカ５−２に出力する。
【００２５】
なお、出力特性調整部４は、制御部６の制御に基づき、上記の各パラメータによる反映のほかに受信した番組のメディア情報、すなわち映像情報および音声情報をメディア情報出力部５に出力するための各種処理を実行するが、ここではそれら処理の具体的な説明は省略する。
【００２６】
尚、画質調整パラメータには、少なくとも、ブライトネス、コントラスト、カラー、シャープネス、ガンマゲインなどがある。さらに、この画質調整パラメータには、表示サイズも含めてよい。この表示サイズパラメータは、例えば、映画を見るような場合は、シアターで見るように横長式に表示する。
【００２７】
また、音響効果調整パラメータには、少なくとも、トーン、ボリューム、左右スピーカ音量バランス、フェードイン、フェードアウトなどがある。
【００２８】
制御部６のチャネル選択部６−１は、図示しない入力部や操作部、あるいは他の信号発生源を介してチャネル選択信号を受信すると放送受信部２に対し、選択されたチャネルを受信させるよう制御する。チャネル選択信号は、たとえば、チャネル切替時と電源投入時のチャネル番号である。チャネル切替時のチャネル番号は、周知のチャネル切替を検出するチャネル切替検出部（図示せず）から通知される。また、電源投入時のチャネル選択信号は、電源投入以前に設定されていたチャネル番号を指定する信号であり、電源投入を検出する周知の電源投検出部（図示せず）から通知される。
【００２９】
制御部６の出力特性調整データ取得・設定部６−２は、出力特性調整データ蓄積部７から現在時刻の選択されたチャネル番組の番組情報を取得する。本実施例では、番組情報として、ＥＰＧ（電子番組表）を取得する。出力特性調整データ取得・設定部６−２は、取得したＥＰＧにリンクされた出力特性調整パラメータファイル即ち、画質調整パラメータと音響効果調整パラメータの両ファイルにアクセスし、パラメータを取り出す。そして、出力特性調整データ取得・設定部６−２は、取り出した画質調整パラメータと音響効果調整パラメータを各々画質調整部４−１、音響効果調整部４−２に設定する。
【００３０】
尚、現在時刻は、インターネットや放送から取得する公知の方法であってもよい。また、ＥＰＧは、背景技術で図８を用いて説明したように、チャネル番号や放送日時のデータを有している。従って、出力特性調整データ取得・設定部６−２は、選択されたチャネルと、現在時刻から該当するＥＰＧを選択することができる。
【００３１】
さらに、制御部６の番組終了時間監視部６−３は、ＥＰＧの放送日時のデータから、当該番組の終了時刻を取得して、時間経過を管理し、終了時刻到来を検出する。番組終了時間監視部６−３は、終了時刻到来を検出すると、出力特性調整データ取得・設定部６−２に制御を戻す。この処理によって、一つの番組が終了すると、自動的に、次の番組への画質調整、音響効果調整が行われる。
【００３２】
次に、出力特性調整データ蓄積部７は、全チャネル（全放送局）の全番組のＥＰＧとＥＰＧ対応の画質調整パラメータと音響効果調整パラメータを蓄積している。
【００３３】
このＥＰＧとＥＰＧ対応の画質調整パラメータと音響効果調整パラメータは、予め、図示しない端末から手入力で設定されてもよく、また、何らかの方法で、自動で設定されてもよく、その設定方法は問わない。
【００３４】
手入力の場合は、ユーザが放送に先立って、放送局から全番組に対応するＥＰＧを予め入手しておく必要がある。そして、ユーザは、図示しない操作部を操作して、入手したＥＰＧ情報を、番組ごとに出力特性調整データ蓄積部７に保存する。この場合、ＥＰＧ情報が印刷物のようなもので入手した場合は、制御部６にＯＣＲ（自動読取装置）を接続して、ＯＣＲによりＥＰＧ情報を読み込ませればよい。これにより、読み取られたＥＰＧ情報は、番組ごとに制御部６により出力特性調整データ蓄積部７に保存される。
【００３５】
次に、ユーザは、入手したＥＰＧのジャンルやあらすじを判断して、画質調整パラメータ、音響効果調整パラメータを決定する。もちろん、この場合、ユーザは、あらかじめＥＰＧのジャンルやあらすじ対応に、画質調整パラメータ、音響効果調整パラメータが決定される対応表などを用意しておくことが望ましい。この対応表を見ながらユーザは、図示しない操作部を操作して、番組ごとに決定した画質調整パラメータ、音響効果調整パラメータを決定入力する。これにより、制御部６は、操作部から入力された画質調整パラメータ、音響効果調整パラメータを番組ごとにファイル名をつけて出力特性調整データ蓄積部７に保存する。
【００３６】
その後、ユーザは、操作部を操作してＥＰＧを表示させ、ＥＰＧの表示画面から、図示しない操作部を操作して、図２に示すＥＰＧ情報中の画質調整パラメータ、音響効果調整パラメータの両ファイルのファイルアドレスを、アイコンなどで指定することにより、画質調整パラメータ、音響効果調整パラメータの両ファイルをＥＰＧにリンクさせた後、出力特性調整データ蓄積部７に保存する。このリンク作成は制御部６の制御のもとに行われる。
【００３７】
図５は、上述の対応表の構成例を示す図である。この対応表は、後述する第二の実施例において使用される画質調整・音響効果調整判定テーブル（記憶部）１０の記憶データ内容を表形式で印刷したものに相当する。
【００３８】
図５では、ジャンルとして、スポーツ、映画、音楽などがある。そして各々のジャンルは、複数のキーワードを有し、このキーワード対応に、画質調整パラメータ、音響効果調整パラメータが規定されている。
【００３９】
尚、画質調整パラメータ、音響効果調整パラメータの列には、調整用のパラメータそのものを規定してもよいし、キーワードをいくつかのモードに分類し、そのモードで規定してもよい。
【００４０】
図５は、画質調整パラメータ、音響効果調整パラメータの列をモードで規定した場合を示している。例えば、画質調整モードとしては、スポーツ、シアター、…などのモードが示され、音響効果調整モードとしては、スタジアム、ホール、ライブ、…などのモードが示されている。そして、画質調整モードは、各々がモード特有の画質調整パラメータから構成され、音響効果調整モードは、各々がモード特有の音響効果調整パラメータから構成される。
【００４１】
モードの種類や、モード対応の調整パラメータは、工場出荷時に、システム内に標準値が設定されていてもよいし、購入後に、ユーザが、自分の嗜好に合わせてシステムに設定できるようにしてもよい。
【００４２】
ユーザは、予め入手したＥＰＧから、あらすじを読むことにより、そこに含まれるキーワードを抽出し、ＥＰＧのジャンル欄に記載されたジャンル名と抽出されたキーワードを基に対応表を参照して、画質調整パラメータ、音響効果調整パラメータを決定する。
【００４３】
すなわち、ユーザは、ＥＰＧのジャンルやあらすじから図５のキーワードを判断して、次に示すように画質調整パラメータ、音響効果調整パラメータを決定する。
【００４４】
この場合、操作部で、キーワードに対応するスポーツモード、シアターモード、スタンダードモード、ホールモードをそれぞれ入力することで、入力されたモード情報に応じて制御部６が画像調整部４−１における画質調整パラメータ（ブライトネス、コントラスト、カラー、シャープネス、ガンマゲインなど）を決定する。
【００４５】
さらに、操作部で、キーワードに対応するスタジアム、ホール、ライブ、…などのモードをそれぞれ入力することで、入力されたモード情報に応じて制御部６が音響効果調整部４−２における音響効果調整パラメータ（トーン、ボリューム、左右スピーカ音量バランス、フェードイン、フェードアウトなど）を決定する。
【００４６】
例えば、システムは、ホラー映画に対しては、通常の映画と異なり、恐怖感を増すように、画面の暗さを増す画質調整パラメータ、低音を強調する音響効果調整パラメータを選択設定できるようにする。
【００４７】
上述のように、制御部６は、番組ごとに画質調整パラメータ、音響効果調整パラメータファイルを作成する。その後、前述したように、制御部６は、画質調整パラメータ、音響効果調整パラメータの両ファイルをＥＰＧにリンクさせて、リンク情報を含んだＥＰＧ情報を出力特性調整データ蓄積部７に保存する。
【００４８】
出力特性調整データ蓄積部７に保存されるＥＰＧ、及びＥＰＧ対応の画質調整パラメータと音響効果調整パラメータの更新は、定期的になされることが望ましい。
【００４９】
また、ＥＰＧと画質調整パラメータ、音響効果調整パラメータの両ファイルとのリンク方法は、図２に示すように、ＥＰＧ内の特定箇所に、画質調整パラメータ、音響効果調整パラメータの両ファイルのファイルアドレスを設定する方法であるが、それ以外の方法でも良い。
【００５０】
次に、図３は、放送データを受信するときの本実施例の動作を説明する動作フロー図である。
【００５１】
図３の左列は、制御部６の動作フローであり、右列は、放送受信部２、メディア情報抽出部３、出力特性調整部４、メディア情報出力部５の動作フローである。
【００５２】
Ｓ１；チャネル選択部６−１は、チャネル選択信号を受信すると放送受信部２に対し、選択されたチャネルの放送データを受信させる。
【００５３】
Ｓ２；出力特性調整データ取得・設定部６−２は、出力特性調整データ蓄積部７から現在時刻の選択されたチャネル番組のＥＰＧを読み出し、取得する。
【００５４】
Ｓ３；出力特性調整データ取得・設定部６−２は、取得したＥＰＧにリンクされた出力特性調整パラメータファイル即ち、画質調整パラメータファイルと音響効果調整パラメータファイルを取り出す。
【００５５】
Ｓ４；出力特性調整データ取得・設定部６−２は、取り出した出力特性調整パラメータファイルに格納された出力特性調整パラメータを出力特性調整部４に設定する。即ち、出力特性調整データ取得・設定部６−２は、取り出した画質調整パラメータと音響効果調整パラメータを各々画質調整部４−１、音響効果調整部４−２に設定する。
【００５６】
Ｓ５；番組終了時間監視部６−３は、ＥＰＧの放送日時のデータから、当該番組の終了時刻を取得して、時間経過を管理し、終了時刻到来を検出すると、出力特性調整データ取得・設定部６−２に制御を戻す。
【００５７】
Ｓ６；放送受信部２は、アンテナ１からチャネル選択部６−１で指定されたテレビ放送局の番組データを受信する。
【００５８】
Ｓ７；メディア情報抽出部３は、放送受信部２で受信したテレビ番組データから、メディア情報を取り出して出力する。即ち、映像情報抽出部３−１は、放送受信部２で受信したテレビ番組データから、映像情報を取り出して出力する。また、音声情報抽出部３−２は、放送受信部２で受信したテレビ番組データから、音声情報を取り出して出力する。
【００５９】
Ｓ８；出力特性調整部４は、メディア情報抽出部３から出力されるメディア情報に対し、出力特性調整パラメータを反映させてメディア情報出力部５から出力する。
【００６０】
即ち、
Ｓ９；画質調整部４−１は、映像情報抽出部３−１から出力される映像情報に対し、出力特性調整データ取得・設定部６−２で設定された画質調整パラメータを反映させ、調整済み映像情報をディスプレイ５−１に出力する。これにより、ディスプレイ５−１は、画質調整された映像を出力する。
【００６１】
Ｓ１０；音響効果調整部４−２は、音声情報抽出部３−２から出力される音声情報に対し、出力特性調整データ取得・設定部６−２で設定された音響効果調整パラメータを反映させ、調整済み音声情報をスピーカ５−２に出力する。これにより、スピーカ５−２は、音響効果調整された音声（音響）を出力する。
【００６２】
以上説明したように、本実施例は、チャネル切り替え時の出力映像、出力音声に対する映像調整、音声調整が番組の内容に応じて細かく調整できるという効果がある。
【００６３】
その理由は、ＥＰＧのジャンルだけでなく、あらすじに含まれるキーワードを基に、画質調整パラメータ、音響効果調整パラメータが決定され、出力特性調整データ蓄積部７に蓄積されるからである。
【００６４】
また、実施例は、チャネル切り替え時の出力映像、出力音声に対する映像調整、音声調整の処理遅延を軽減するという効果がある。
【００６５】
その理由は、チャネル切替時には、出力特性調整パラメータ即ち、画質調整パラメータと音響効果調整パラメータは、ＥＰＧ対応に出力特性調整データ蓄積部７に蓄積され制御部６により取り出されるからである。
【００６６】
次に、図４は発明の放送受信装置の第二の実施例を示すブロック図である。
【００６７】
図４を参照すると、本実施例の放送受信装置は、アンテナ１、放送受信部２、メディア情報抽出部３、出力特性調整部４、メディア情報出力部５、制御部６、出力特性調整データ蓄積部７を含んで構成される。本実施例の放送受信装置は、さらに、ＥＰＧ受信部８、出力特性調整データ判定処理部９、画質調整・音響効果調整判定テーブル１０を含んで構成される。
【００６８】
本実施例は、テレビ受信装置を想定している。従って、メディア情報抽出部３は、映像情報抽出部３−１、音声情報抽出部３−２から構成される。同様に、出力特性調整部４は、画質調整部４−１、音響効果調整部４−２から構成される。メディア情報出力部５は、ディスプレイ５−１と、スピーカ５−２を含む。
【００６９】
また、制御部６は、チャネル選択部６−１と、出力特性調整データ取得・設定部６−２と、番組終了時間監視部６−３とを含む。
【００７０】
次に、各部の説明を行う。
【００７１】
前述の第一の実施例の図１の構成要素と同一番号のものは機能が同一であるため、その説明を省略する。即ち、対象となるものは、アンテナ１、放送受信部２、メディア情報抽出部３、出力特性調整部４、メディア情報出力部５、制御部６、出力特性調整データ蓄積部７、映像情報抽出部３−１、音声情報抽出部３−２である。さらに、対象となるものは、画質調整部４−１、音響効果調整部４−２、ディスプレイ５−１、スピーカ５−２、チャネル選択部６−１、出力特性調整データ取得・設定部６−２、番組終了時間監視部６−３である。
【００７２】
ＥＰＧ受信部８は、外部即ち、インターネットまたは放送波から全チャネル（放送局）の全番組のＥＰＧ情報を受信し、出力特性調整データ蓄積部７に蓄積する。ＥＰＧ情報は、ＴＶ放送からの場合は、番組が視聴されていないときに、放送受信部２を経由してＥＰＧ用チャネルから取得してもよいし、インターネットに接続して取得してもよい。尚、インターネットへの接続は公知技術であり、接続部は特に図示していない。
【００７３】
ＥＰＧ受信部８は、ＥＰＧ用チャネルにてＥＰＧ情報が配信される時間が決まっている場合は、ＥＰＧ配信時間を取得タイミングとしてもよい。ＥＰＧ受信部８は、インターネット経由の場合は、いつでも情報取得が可能であるが、インターネット上での更新周期にあわせて、タイマなどによって、定期的に情報を取得することが望ましい。
【００７４】
ＥＰＧ受信部８は、ＥＰＧ受信部８内に格納されたプログラムをＥＰＧ受信部８内のＣＰＵが実行することによって、上述した機能を達成する方法を使用しても良い。
【００７５】
さらに、ＥＰＧ受信部８が出力特性調整データ蓄積部７に蓄積するＥＰＧ情報のファイル構成は、Ａ面、Ｂ面の２面構成とすることが望ましい。例えば、ＥＰＧ用チャネルにてＥＰＧ情報が１週間分づつ配信される場合は、Ａ面は、出力特性調整データ取得・設定部６−２が現在使用するＥＰＧ情報を蓄積し、次週分のＥＰＧ情報はＢ面に格納する。そして、次週になれば出力特性調整データ取得・設定部６−２は、Ｂ面を使用する。このように、Ａ面、Ｂ面を交互に使用する方法が望ましい。尚、次週分のＥＰＧ情報は、現在の週が終わるまでに配信されることは当然である。
【００７６】
このような、ファイル構成をＡ面、Ｂ面の２面構成とし、交互に使用する方法は、通信機器では一般に行われている技術であるので、ここでは、これ以上詳細に触れない。
【００７７】
次に、出力特性調整データ判定処理部９は、出力特性調整データ蓄積部７に蓄積されたＥＰＧ情報に基づき、全チャネル（放送局）の全番組の出力特性調整データを判定し、出力特性調整データファイルを作成し、そのファイルをＥＰＧにリンクさせる。
【００７８】
出力特性調整データは、画質調整パラメータ、音響効果調整パラメータから成り、そのパラメータを格納するファイルのファイルアドレスが、図２に示すように、ＥＰＧにリンクされる。尚、画質調整パラメータ、音響効果調整パラメータの種類は、第一の実施例で示されているので、それらを参照されたい。
【００７９】
したがって、出力特性調整データ判定処理部９は、第１に内部に有する画質調整・音響効果調整判定テーブル１０を参照する。図５は、画質調整・音響効果調整判定テーブル１０の構成例を示す図である。画質調整・音響効果調整判定テーブル１０についての説明は、第一の実施例で「対応表」として、説明しているので、ここでは省略するが、画質調整・音響効果調整判定テーブル１０は、ジャンル、キーワードデータ対応に、画質調整パラメータ、音響効果調整パラメータが規定されたテーブルである。
【００８０】
第２に、出力特性調整データ判定処理部９は、番組に関するＥＰＧ情報から、そこに含まれるジャンル、キーワードを認識して抽出し、予め画質調整・音響効果調整判定テーブル１０に格納されているジャンル、キーワードと抽出したジャンル、キーワードとを比較する。第３に、出力特性調整データ判定処理部９は、比較の結果、一致したジャンルとキーワードに対応する画質調整モードと音響効果調整モードを認識し、認識した画質調整モードと音響効果調整モードに対応する、画質調整パラメータ、音響効果調整パラメータを取得し、画質調整パラメータ、音響効果調整パラメータファイルを作成してＥＰＧ情報にリンクさせる。
【００８１】
尚、ＥＰＧ情報に含まれるジャンル、キーワードは、既に図８で説明（背景技術を参照）したように、各々ジャンル欄、あらすじ紹介欄から取り出される。出力特性調整データ判定処理部９は、あらすじ紹介欄を文章解析することにより、キーワードを抽出する。
【００８２】
本第二の実施例は、第一の実施例で説明した手動ではなく自動でパラメータを番組ごとに設定する場合であり、放送受信装置自身が、放送に先立って、放送波やインターネットから、ＥＰＧを予め受信し、出力特性調整データ蓄積部７に保存する。次に、放送受信装置は、ＥＰＧのジャンルやあらすじを自動で判断して、図５の画質調整・音響効果調整判定テーブル１０の記憶データ内容に基づき、画質調整パラメータ、音響効果調整パラメータを決定する。そして、放送受信装置は、決定した画質調整パラメータ、音響効果調整パラメータをファイル名をつけて出力特性調整データ蓄積部７に保存する。さらに、放送受信装置の制御部６は、画質調整パラメータ、音響効果調整パラメータの両ファイルのファイルアドレスをＥＰＧにリンクさせ、リンク情報を含んだＥＰＧ情報を出力特性調整データ蓄積部７に保存する。
【００８３】
次に、図６は、第二の実施例の動作を示すフロー図である。
【００８４】
本第二の実施例において、チャネル選択信号を受信し放送データを受信してから放送終了までの動作フローは、第一の実施例の図３に示す動作フローのステップＳ１〜Ｓ１０と同じであるため、その説明を省略する。ここでは、ＥＰＧ情報から出力特性調整データを出力特性調整データ蓄積部７に蓄積するまでの動作ステップについて図６を参照して説明する。
【００８５】
ＳＡ；ＥＰＧ受信部８は、インターネットまたは放送波から全チャネル（放送局）の全番組のＥＰＧ情報を受信し、出力特性調整データ蓄積部７に蓄積する。
【００８６】
ＳＢ；出力特性調整データ判定処理部９は、画質調整・音響効果調整判定テーブル１０を参照し、ＥＰＧのジャンル、キーワードから、画質調整パラメータ、音響効果調整パラメータを取得し、各々のファイルを作成する。そして、出力特性調整データ判定処理部９は、作成された画質調整パラメータファイル、音響効果調整パラメータファイルを出力特性調整データ蓄積部７のＥＰＧにリンクさせる。
【００８７】
以上説明したように、本第二の実施例は、チャネル切り替え時の出力映像、出力音声に対する映像調整、音声調整が番組の内容に応じて細かく調整できるという効果がある。
【００８８】
その理由は、ＥＰＧのジャンルだけでなく、あらすじに含まれるキーワードを基に、画質調整パラメータ、音響効果調整パラメータが決定され、出力特性調整データ蓄積部７に蓄積されるからである。
【００８９】
上述した、第二の実施例は、チャネル切り替え時の出力映像、出力音声に対する映像調整、音声調整の処理遅延を軽減するという効果がある。
【００９０】
その理由は、チャネル切替時には、出力特性調整パラメータ即ち、画質調整パラメータと音響効果調整パラメータは、ＥＰＧ対応に出力特性調整データ蓄積部７に蓄積され制御部６により取り出されるからである。
【００９１】
さらに、第二の実施例は、放送される全番組のＥＰＧが、常時、出力特性調整データ蓄積部７に蓄積されているという効果がある。
【００９２】
その理由は、ＥＰＧ受信部８は、ＥＰＧ用チャネルにてＥＰＧ情報が配信される時間が決まっている場合は、ＥＰＧ配信時間を取得タイミングとしてＥＰＧ情報を取得し、インターネット経由の場合は、インターネット上での更新周期にあわせて、タイマなどによって、定期的にＥＰＧ情報を取得し、出力特性調整データ蓄積部７に蓄積するからである。
【００９３】
次に、図７は、発明の放送受信装置の第三の実施例を示すブロック図である。
【００９４】
本実施例では、ラジオ受信装置を想定している。
【００９５】
図７を参照すると、本実施例のラジオ放送受信装置は、アンテナ７０、放送受信部７１、音声情報抽出部７２、音響効果調整部７３、スピーカ７４、制御部７５、出力特性調整データ蓄積部７６を含んで構成される。さらに、本実施例のラジオ放送受信装置は、ＥＰＧ受信部７７、出力特性調整データ判定処理部７８、音響効果調整判定テーブル７９を含んで構成される。
【００９６】
また、制御部７５は、チャネル選択部７５−１、出力特性調整データ取得・設定部７５−２、番組終了時間監視部７５−３から構成される。
【００９７】
次に、各々の機能を説明する。
【００９８】
放送受信部７１は、アンテナ７０から制御部７５で指定されたラジオ放送局の放送データを受信する。音声情報抽出部７２は、放送受信部７１で受信したラジオ放送データから、音声情報を取り出して出力する。
【００９９】
音響効果調整部７３は、音声情報抽出部７２から出力される音声情報に対し、制御部７５で設定された音響効果調整パラメータを反映させた処理を実行し、調整済み音声情報としてスピーカ７４に出力する。
【０１００】
尚、音響効果調整パラメータには、少なくとも、トーン、ボリューム、バランス、フェードイン、フェードアウトなどがある。
【０１０１】
制御部７５のチャネル選択部７５−１は、チャネル選択信号を受信すると放送受信部７１に対し、選択されたチャネルを受信させる。チャネル選択信号は、チャネル切替時と電源投入時のチャネル番号である。チャネル切替時のチャネル番号は、周知のチャネル切替を検出するチャネル切替検出部（図示せず）から通知される。また、電源投入時のチャネル選択信号は、電源投入以前に設定されていたチャネル番号を指定する信号であり、電源投入を検出する周知の電源投検出部（図示せず）から通知される。
【０１０２】
制御部７５の出力特性調整データ取得・設定部７５−２は、出力特性調整データ蓄積部７６から現在時刻の選択されたチャネル番組のＥＰＧ（電子番組表）を取得する。出力特性調整データ取得・設定部７５−２は、取得したＥＰＧにリンクされた音響効果調整パラメータファイルを取り出す。そして、出力特性調整データ取得・設定部７５−２は、取り出した音響効果調整パラメータファイルに格納された音響効果調整パラメータを音響効果調整部７３に設定する。
【０１０３】
尚、現在時刻は、インターネットや放送から取得する公知の方法であってもよい。また、ＥＰＧは、背景技術で図８を用いて説明したように、チャネル番号や放送日時のデータを有している。従って、出力特性調整データ取得・設定部７５−２は、選択されたチャネルと、現在時刻から該当するＥＰＧを選択することができる。
【０１０４】
さらに、制御部７５の番組終了時間監視部７５−３は、ＥＰＧの放送日時のデータから、当該番組の終了時刻を取得して、時間経過を管理し、終了時刻到来を検出する。番組終了時間監視部７５−３は、終了時刻到来を検出すると、出力特性調整データ取得・設定部７５−２に制御を戻す。この処理によって、一つの番組が終了すると、自動的に、次の番組への音響効果調整が行われる。
【０１０５】
次に、出力特性調整データ蓄積部７６は、全チャネル（全放送局）の全番組のＥＰＧとＥＰＧ対応の音響効果調整パラメータを蓄積している。
【０１０６】
ＥＰＧ受信部７７は、インターネットまたは放送波から全チャネル（放送局）の全番組のＥＰＧ情報を受信し、出力特性調整データ蓄積部７６に蓄積する。ＥＰＧ情報は、ラジオＶ放送からの場合は、番組が視聴されていないときに、放送受信部２を経由してＥＰＧ用チャネルから取得してもよいし、インターネットに接続して取得してもよい。尚、インターネットへの接続は公知技術であり、接続部は特に図示していない。
【０１０７】
ＥＰＧ受信部７７は、ＥＰＧ用チャネルにてＥＰＧ情報が配信される時間が決まっている場合は、ＥＰＧ配信時間を取得タイミングとしてもよい。また、ＥＰＧ受信部７７は、インターネット経由の場合は、いつでも情報取得が可能であるが、インターネット上での更新周期にあわせて、タイマなどによって、定期的に情報を取得することが望ましい。
【０１０８】
出力特性調整データ判定処理部７８は、出力特性調整データ蓄積部７６に蓄積されたＥＰＧ情報に基づき、全チャネル（放送局）の全番組の音響効果調整パラメータを判定し、音響効果調整パラメータファイルを作成し、そのファイルをＥＰＧにリンクさせる。
【０１０９】
出力特性調整データ判定処理部７８は、内部に有する音響効果調整判定テーブル７９を参照し、ＥＰＧ情報に含まれるジャンル、キーワードから、音響効果調整パラメータを取得する。
【０１１０】
音響効果調整判定テーブル７９は、ＥＰＧ情報に含まれるジャンル、キーワードデータ対応に、音響効果調整パラメータが規定されたテーブルである。
【０１１１】
なお、第三の実施例の動作は、第二の実施例のテレビ放送受信装置の動作における映像処理を除いたものであるため、動作説明を省略する。
【０１１２】
上述した、第三の実施例は、チャネル切り替え時の出力音声に対する音声調整が番組の内容に応じて細かく調整できるという効果がある。
【０１１３】
その理由は、ＥＰＧのジャンルだけでなく、あらすじに含まれるキーワードを基に、音響効果調整パラメータが決定されるからである。
【０１１４】
上述した、第三の実施例は、チャネル切り替え時の出力音声に対する音声調整の処理遅延を軽減するという効果がある。
【０１１５】
その理由は、チャネル切替時には、出力特性調整パラメータ即ち、音響効果調整パラメータは、ＥＰＧ対応に用意されているからである。
【０１１６】
本発明は、ワンセグ放送を介してテレビ放送を受信する携帯端末にも適用できる。
【０１１７】
また本発明は、DVDレコーダのように番組情報とともにテレビ放送番組を記録することができる機器にも適用できる。
【図面の簡単な説明】
【０１１８】
【図１】本発明の放送受信装置の第一の実施例を示すブロック図である。
【図２】ＥＰＧと画質調整パラメータファイル、音響効果調整パラメータファイルとのリンク方法を示す図である。
【図３】第一の実施例の動作を説明する動作フロー図である。
【図４】発明の放送受信装置の第二の実施例を示すブロック図である。
【図５】画質調整・音響効果調整判定テーブル１０の構成例を示す図である。
【図６】第二の実施例の動作を示すフロー図である。
【図７】本発明の放送受信装置の第三の実施例を示すブロック図である。
【図８】ＥＰＧの一例を示す図である。
【符号の説明】
【０１１９】
１    アンテナ
２    放送受信部
３    メディア情報抽出部
３−１    映像情報抽出部
３−２    音声情報抽出部
４    出力特性調整部
４−１    画質調整部
４−２    音響効果調整部
５    メディア情報出力部
５−１    ディスプレイ
５−２    スピーカ
６    制御部
６−１    チャネル選択部
６−２    出力特性調整データ取得・設定部
６−３    番組終了時間監視部
７    出力特性調整データ蓄積部
８    ＥＰＧ受信部
９    出力特性調整データ判定処理部
１０    画質調整・音響効果調整判定テーブル
７０    アンテナ
７１    放送受信部
７２    音声情報抽出部
７３    音響効果調整部
７４    スピーカ
７５    制御部
７５−１    チャネル選択部
７５−２    出力特性調整データ取得・設定部
７５−３    番組終了時間監視部
７６    出力特性調整データ蓄積部
７７    ＥＰＧ受信部
７８    出力特性調整データ判定処理部
７９    音響効果調整判定テーブル
【図１】
2009017240.tif 000003
【図２】
2009017240.tif 000004
【図３】
2009017240.tif 000005
【図４】
2009017240.tif 000006
【図５】
2009017240.tif 000007
【図６】
2009017240.tif 000008
【図７】
2009017240.tif 000009
【図８】
2009017240.tif 000010